(57)【要約】【課題】構造を簡易にするとともに、容易且つ確実に取付及び使用できる、特にトイレットペーパー用の紙加湿装置を提供すること。【解決手段】タンク９に取り付けられた加湿ローラ１０に対して移動可能であり、該加湿ローラ１０と接触するか或いは接触しない、互いに分離可能にローラ３に巻回された紙片４，５，６から成る、湿潤或いは乾燥した洗浄用ペーパーの格納及び最適な引き出しのための紙加湿装置であって、前記紙片４，５，６を案内する案内部材１１を、部屋壁面に固設されたハウジング８に取り付けてある前記紙加湿装置において、前記ハウジング８を前記ローラ３に対して所定間隔をもって前記部屋壁面に固設し、前記ガイド部材１１として、固定された漏斗状の導入部と、該導入部の内部に設置され且つ案内溝により垂直方向にのみ摺動せしめて不意の持ち上がりを防止されたガイドバー１５を備えさせた。
2007529240.tif 000002
【特許請求の範囲】
【請求項１】
タンク（９）に取り付けられた加湿ローラ（１０）に対して移動可能であり、該加湿ローラ（１０）と接触するか或いは接触しない、互いに分離可能にローラ（３）に巻回された紙片（４，５，６）から成る、湿潤或いは乾燥した洗浄用ペーパーの格納及び最適な引き出しのための紙加湿装置であって、前記紙片（４，５，６）を案内する案内部材（１１）が部屋壁面に固設されたハウジング（８）に取り付けられた前記紙加湿装置において、
前記ハウジング（８）を前記ローラ（３）に対して所定間隔をもって前記部屋壁面に固設し、
前記案内部材（１１）として、固定された漏斗状の導入部（１４）と、該導入部（１４）の内部に設置され且つ案内溝（１６）により垂直方向にのみ摺動せしめて不意の持ち上がりを防止されたガイドバー（１５）を備え、
互いに連結された前記紙片（４，５，６）を、加湿ローラ（１０）へ向けて前記導入部（１４）と前記ガイドバー（１５）の間を通過可能ならしめたことを特徴とする紙加湿装置。
【請求項２】
前記ローラ（３）を、前記紙片（４，５，６）と共に前記ハウジング（８）の上方或いは下方において前記部屋壁面に固設された構成ユニット（１７）として形成し、又、前記案内部材（１１）を備えた前記ハウジング（８）を、他の構成ユニットとして形成したことを特徴とする請求項１記載の紙加湿装置。
【請求項３】
前記ハウジング（８）を、壁面固定部（１９）と、案内部材（１１）、タンク（９）及び加湿ローラ（１０）を備えたタンク部（２０）の二部分で構成したことを特徴とする請求項１記載の紙加湿装置。
【請求項４】
前記ローラ（３）に掛架可能なフック（２１，２２）を、前記壁面固定部（１９）にこれと着脱自在に設けたことを特徴とする請求項１〜３の何れか１項に記載の紙加湿装置。
【請求項５】
前記フック（２１，２２）を、前記ローラ（３）の回転軸（２４）に懸吊可能に形成したことを特徴とする請求項１〜４の何れか１項に記載の紙加湿装置。
【請求項６】
前記壁面固定部（１９）が支持アーム（２５）を備え、該支持アーム（２５）を、前記タンク部（２０）が固定されるように取り付けることを特徴とする請求項１〜５の何れか１項に記載の紙加湿装置。
【請求項７】
前記支持アーム（２５）と前記タンク部が係合するよう形成された実結合部（２６）を設けたことを特徴とする請求項１〜６の何れか１項に記載の紙加湿装置。
【請求項８】
係止突起（７２）を当該雄実の片側に備えた雄実（２６）と、前記係止突起（７２）に係合する係止凹部（７３）を備えた雌実（２７）を設けたことを特徴とする請求項１〜７の何れか１項に記載の紙加湿装置。
【請求項９】
前記部屋壁面側（３０）から前記導入部（１４）へ見て２０°〜６０°の傾斜を付けた導入傾斜部（３１）と、凹部（３２）と、前記導入傾斜部と反対方向下方へ７０°〜８５°の傾斜を付けた導出傾斜部（３３）を設けたことを特徴とする請求項１〜８の何れか１項に記載の紙加湿装置。
【請求項１０】
前記ガイドバー（１５）の両端に前記案内溝（１６）内で該案内溝と係合する係合突起（３５）を設け、該係合突起（３５）の直径を前記案内溝（１６）の導入開口部（３６）の幅と一致する大きさに形成したことを特徴とする請求項１〜９の何れか１項に記載の紙加湿装置。
【請求項１１】
前記係合突起（３５）を好ましくは丸くない形状或いは多面角状、好ましくは四面角状に形成して前記ガイドバー（１５）を案内空間（３７）内で回転可能に配置したことを特徴とする請求項１〜１０の何れか１項に記載の紙加湿装置。
【請求項１２】
前記案内溝（１６）を、上部が開口している前記導入開口部（３６）及び、これに接続し、下部が開口され上部が閉鎖された案内空間からなる二重漏斗（３６，３７）として形成したことを特徴とする請求項１〜１１の何れか１項に記載の紙加湿装置。
【請求項１３】
前記案内空間（３７）の内部上面（３８）に部屋壁面側（３０）から離れるように僅かな勾配を好ましくは上向きに付け、一方、案内テーパ部（７４，７５）により前記案内空間（３７）の内部上面（３８）へ向けて、前記係合突起（３５）と適合する漏斗状空間を形成したことを特徴とする請求項１〜１２の何れか１項に記載の紙加湿装置。
【請求項１４】
内部で前記加湿ローラ（１０）の軸（４３）を回転可能に支持しつつ固設された漏斗状凹部（４２）を、前記タンク部（２０）の前記タンク（９）の側壁（４０）の内面（４１）に設けたことを特徴とする請求項１〜１３の何れか１項に記載の紙加湿装置。
【請求項１５】
外縁部（４８）に複数の加湿用靴状部（４９，５０，５１）と、中心部に前記軸（４３）上で摺動可能な差込用中空軸（５２）を備えた複数の支持円板（４５，４６，４７）を、それぞれ所定の間隔をもって前記加湿ローラ（１０）に取り付けたことを特徴とする請求項１〜１４の何れか１項に記載の紙加湿装置。
【請求項１６】
前記支持円板（４５，４６，４７）の前記差込用中空軸（５２）を、隣接する他の差込用中空軸（５２’）と回転自在に連結させて形成したことを特徴とする請求項１〜１５の何れか１項に記載の紙加湿装置。
【請求項１７】
前記加湿用靴状部（４９，５０，５１）を備えた前記支持円板（４５，４６，４７）を、前記紙片（４，５，６）の導入方向左右両側に乾燥した端部が形成されるよう前記軸（４３）上で支持するか、或いは前記支持円板のうち外端に位置する支持円板（４５’，４６’）を前記側壁（４０）から所定間隔隔てて設けたことを特徴とする請求項１〜１６の何れか１項に記載の紙加湿装置。
【請求項１８】
前記加湿用靴状部（４９，５０，５１）を、その中心からそれぞれ互い違いに左右へずらして前記支持円板（４５，４６，４７）に設けたことを特徴とする請求項１〜１７の何れか１項に記載の紙加湿装置。
【請求項１９】
前記加湿用靴状部（４９，５０，５１）を、前記支持円板（４５，４６，４７）の幅に一致する幅を有する棒状部材（６０）を介して前記支持円板（４５，４６，４７）に連結させたことを特徴とする請求項１〜１８の何れか１項に記載の紙加湿装置。
【請求項２０】
前記加湿用靴状部（４９，５０，５１）を面取りした形状或いは角のない形状（６１，６２）に形成したことを特徴とする請求項１〜１９の何れか１項に記載の紙加湿装置。
【請求項２１】
前記加湿用靴状部（４９，５０，５１）をその移動方向（６３）へ略船体形状に形成したことを特徴とする請求項１〜２０の何れか１項に記載の紙加湿装置。
【請求項２２】
前記加湿用靴状部（４９，５０，５１）をゴム状及び／又はゴムに類似した（ポリエチレン＋ゴム）材料で形成したこと、及び／又は前記加湿用靴状部（４９，５０，５１）の表面（６４）に少なくとも１つの窪み（７６，７７）を形成したことを特徴とする請求項１〜２１の何れか１項に記載の紙加湿装置。
【請求項２３】
前記加湿用靴状部（４９，５０，５１）或いは前記棒状部材（６０）を、前記支持円板（４５，４６，４７）に着脱可能に連結、好ましくは前記支持円板（４５，４６，４７）の孔に挿設可能に、或いは該支持円板（４５，４６，４７）に貼着可能に形成したことを特徴とする請求項１〜２２の何れか１項に記載の紙加湿装置。
【請求項２４】
前記加湿用靴状部（４９，５０，５１）の周囲を、略船体形状に面取りして形成したことを特徴とする請求項１〜２３の何れか１項に記載の紙加湿装置。
【請求項２５】
前記加湿用靴状部（４９，５０，５１）を、ハニカム状に形成するか、或いはハニカム状に設けたことを特徴とする請求項１〜２４の何れか１項に記載の紙加湿装置。
【請求項２６】
前記加湿用靴状部（４９，５０，５１）を、当該加湿用靴状部の間でハニカム壁状の細い乾燥領域を残しながら大きく形成したことを特徴とする請求項１〜２５の何れか１項に記載の紙加湿装置。
【請求項２７】
前記乾燥領域（６５，６６）の幅を０．５〜５．０ｍｍ、好ましくは２．０ｍｍにしたことを特徴とする請求項１〜２６の何れか１項に記載の紙加湿装置。
【請求項２８】
前記ガイドバー（１５）の表面を粗く形成したこと、又は該ガイドバー（１５）に適当なコーティングを施したこと、又は該ガイドバー（１５）を前記加湿用靴状部（４９，５０，５１）と同材料で形成したことを特徴とする請求項１〜２７の何れか１項に記載の紙加湿装置。
【発明の詳細な説明】
【技術分野】
【０００１】
本発明は、タンクに取り付けられた加湿ローラに対して移動可能であり、該加湿ローラと接触するか或いは接触しない、互いに分離可能にローラに巻回された紙片から成る、湿潤或いは乾燥した洗浄用ペーパーの格納及び最適な引き出しのための紙加湿装置であって、前記紙片を案内する案内部材が部屋壁面に固設されたハウジングに取り付けられた紙加湿装置に関する。
【背景技術】
【０００２】
上記のような紙加湿装置は、トイレットペーパー用の加湿装置として様々な実施の形態が知られている（特許文献１〜６）。しかしながら、これらには、各ペーパー或いは紙片が確実に加湿ローラ上を通過しないこと、紙加湿装置全体のハウジングが費用のかかる構造であること、及び各ペーパー或いは紙片を取り出しづらいという共通の問題がある。
【０００３】
特許文献７〜１０においても似たような問題があるが、ここでの解決策は、基本的に、加湿された、或いは加湿されていない或る１枚の紙片を、これと隣接する紙片から分離させることと、その際に、分離する側の紙片が分離されるように、分離される側の紙片をできるだけ挟み込むことにある。
【０００４】
更に、特許文献１１にも解決策が示されており、この解決策によれば、或る１枚の紙片は、ローラから分離された後に加湿ローラ上方へ案内されるか、或いは弾性部材により、ハウジングから離れた後に分離される側の紙片の挟み込みにより分離されないようになっている。しかしながら、ここでも、洗浄用ペーパーが巻回されたローラ及び加湿ローラを備えたタンクを内部に収容した複雑且つ費用のかかるハウジングとなっている。尚、紙片の分離補助機能としての必要に応じた案内部材が実現されている。
【０００５】
又、互いにまだ連結されている紙片を引き出す際、当該紙片は、弾性部材である案内部材により加湿ローラから離されるか、或いは弾性力に打ち克って加湿ローラ上で引き出される。しかしながら、これは、紙の直線状の加湿と比較してハウジングのコンパクトな構造という点で不利であり、このコンパクトな構造は、消費者が新しい商品に買い換える際に重要となる要素である。又、紙加湿装置の製造コストが上がれば、結局は商品としての紙加湿装置自体の値段が上がることになる。そして、特に病人がこのような加湿された洗浄用ペーパー、即ちトイレットペーパーを必要としている。
【０００６】
【特許文献１】独国特許出願公開第４２４３４０８号明細書
【特許文献２】独国特許第１００６０９９３号明細書
【特許文献３】独国特許出願公開第２８２８１６３号明細書
【特許文献４】米国特許第３８００４９４号明細書
【特許文献５】独国実用新案第７７１５４１７号明細書
【特許文献６】独国特許第１９６３０６８６号明細書
【特許文献７】独国特許出願公開第２６４４８７１号明細書
【特許文献８】独国実用新案第７６３７１８１号明細書
【特許文献９】仏国特許出願公開第２１２８２１０号明細書
【特許文献１０】仏国特許出願公開第２７２２３８４号明細書
【特許文献１１】独国特許出願公開第１９９５８７５２号明細書
【発明の開示】
【発明が解決しようとする課題】
【０００７】
そこで、本発明の目的とする処は、構造を簡易にするとともに、容易且つ確実に取付及び使用できる、特にトイレットペーパー用の紙加湿装置を提供することにある。
【課題を解決するための手段】
【０００８】
上記課題を達成するため、本発明は、紙片を導入するハウジングをローラに対して所定間隔をもって部屋壁面に固設し、ガイド部材として、固定された漏斗状の導入部と、該導入部の内部に設置され且つ案内溝により垂直方向にのみ摺動せしめて不意の持ち上がりを防止されたガイドバーを備え、互いに連結された前記紙片を、加湿ローラへ向けて前記導入部と前記ガイドバーの間を通過可能ならしめたことを特徴とする。
【発明の効果】
【０００９】
このような紙加湿装置においては、紙片が巻回されたローラと、加湿用部材或いは加湿ローラを備えた構成要素が必ず一つのユニットを成すものではなく、使用者がローラに対するハウジングの設置を自由に行うことができ、しかも、紙片が互いに連結された状態で均等且つ確実な当該紙片の加湿が可能である。
【００１０】
更に、固定された漏斗状の導入部である案内部と、その内部で回転可能に設けられ且つ上下方向にのみ移動可能なガイドバーは、案内部に導入されてくる紙片の量に応じて当該紙片の導入角度が可変であるようになっている。同様に、紙片を導出或いは引き出す際にも、当該紙片を、加湿ローラに対して平行に案内して加湿させるか、或いは加湿ローラに対して角度をもって案内して乾燥させたままとすることができる。
【００１１】
このようにすることで、案内部を備えたハウジングをローラの上部或いは下部の何れかに取り付けることができるという利点があり、これを、実用上最適となるように設置することができるか、又は、使用者にとって最適な位置に設置することができる。更に、このように形成することによって、紙加湿装置を、軽量な部材としてローラの上部或いは下部の所定の位置に容易に取り付けることができる。
【００１２】
又、固定された漏斗状の導入部とこれに適合するガイドバーが加湿ローラ上或いは加湿ローラ上部での確実な紙片の案内を行うため、最終的には、洗浄用ペーパー或いは紙片の確実な案内をする案内部を著しく簡易にすることができるとともに、容易な使用を達成することができる。
【００１３】
本発明の目的に沿った実施の形態によれば、紙片が巻回されたローラがハウジングの上部或いは下部に該ハウジングから独立して一つの構造ユニットとして部屋壁面に固設されており、一方、案内部及び加湿ローラを備えたハウジングは他の構成ユニットを形成している。
【００１４】
このような構成によれば、上述のような利点も得られるが、ローラ及びハウジングが別々の構成ユニットを形成しており、特にこのように取り付けることができるという利点がある。即ち、空間を有効に活用できるとともに、容易に取り付けることができる。更に、既に組み付けられたローラを後から紙加湿装置或いはハウジングに組み込むことも可能であり、従って、前記両構成ユニットを簡単且つ安価に製造することもできる。
【００１５】
又、ハウジングを更に容易に取り付け可能とするために、該ハウジングは二つの部分から成っており、一方は壁面固定部であり、もう一方は、案内部材、タンク及び加湿ローラを備えたタンク部である。先ず、案内部材、タンク及び加湿ローラを備えたタンク部をできるだけ合目的に壁面固定部に固定するために壁面固定部が部屋壁面に固設されるが、これは、簡易な構造及び必要不可欠な正確さにより容易に達成することができる。そして、両構造ユニットは、ローラから最適な間隔をもって設置され、ローラと共に機能する。
【００１６】
ところで、ハウジング、即ちその壁面固定部の取付は、ローラに掛架される互いに所定間隔隔てて設けられた一対のフックを壁面固定部に着脱自在に設けたことによって簡単化でき、更に、このようにすることで、壁面固定部を予め組み立てられたローラに簡単に懸吊することができるとともに、常に壁面固定部を壁面の最適位置に固設して紙加湿装置全体としての機能を確保することができる。尚、壁面固定部が取り付けられたら前記フックを取り外し、続いて紙加湿装置が機能するようタンク部を取り付ける。
【００１７】
而して、壁面固定部のローラとの取付或いは連結は、前記一対のフックをローラの回転軸に懸吊可能に形成したことによって簡単化される。このような互いに所定間隔隔てて設けられた一対のフックを用いることにより、壁面固定部とローラの間の正確な間隔が得られるだけでなく、互いの平行性も得ることができる。又、それに加えて、壁面固定部の取付後でもフックは問題なく再び取り外され、他の用途に用いられるか、或いは単に廃棄される。
【００１８】
又、壁面固定部の取付後、当該壁面固定部とタンク部の連結が簡単に形成されることについて既に上で述べたが、この際、本発明によれば、壁面固定部が支持アームを備え、該支持アームを前記タンク部が固定されるように形成している。このように、支持アームにタンク部を担持させることによってこれらが効果的に結合され、更なる取付作業を必要としない。
【００１９】
このように簡単化された壁面固定部とタンク部の取付或いは結合は、支持アームとタンク部が係合するよう形成された実結合部を設けたことにより達成される。このような実結合を形成してタンク部の支持アーム上への簡単な結合が成されることにより、必要な壁面固定部とタンク部との結合が達成される。そして、支持アームの端部に設けた係止爪によりタンク部が不意に持ち上がるのを防止している。
【００２０】
又、タンク部と壁面固定部の結合は、雄実の側面に係止突起を、雌実に該係止突起と係合する係止凹部を備えていると特に確実となる。このようにして、タンク部と壁面固定部は、これらを故意に分離させようとするときにのみ分離され、一方、両者が結合すると、節度感（クリック感）により使用者に両者が確実に結合したことを感知させる。
【００２１】
ところで、互いに重ねられて導入部とガイドバーを通過せしめられる紙片の最適な案内は、部屋壁面側から導入部へ見て傾斜を付けた導入傾斜部と、凹部と、前記導入傾斜部と反対方向下方へ傾斜を付けた導出傾斜部を設けたことにより達成される。ここで、洗浄用ペーパーは、先ず、導入部へ導入され、そして、凹部内へ案内されるが、この際、洗浄用ペーパーは、その導出時に目的に応じてガイドバーにより凹部に押し込まれる。即ち、導出時に湿潤した状態とするときにはガイドバーは無負荷にされ、乾燥したままの状態とするときにはガイドバーをあげて加湿されないようにする。尚、導入傾斜部の傾斜を２０°〜６０°、導出傾斜部の傾斜を７０°〜８５°に設定すると効果的である。
【００２２】
上記のように、導出傾斜部の方が勾配が急であるが、紙片を巻回されたローラの位置に応じて両者の傾斜を互いにより近く設定しても良い。即ち、導入傾斜部の傾斜をより急にしても良い。このようにすると、特に紙片を上から供給する場合に好適である。
【００２３】
又、ガイドバーは、紙片が誤って案内部材から極端に急角度で引き出されたとしても、溝状の凹部内で確実に案内されなくてはならない。このために、ガイドバーの両端には溝状の凹部と係合する突起が設けられており、該突起は、溝状凹部の開口導入部の幅に一致した直径を有している。そして、溝状の凹部はガイドバーが脱落しないよう設けられているため、その最適位置が容易に得られる。更に、このガイドバーの溝状の凹部からの不意の脱落は、ガイドバー両端の突起が好ましくは丸みがなく、多角形、好ましくは四角形で形成されるとともに、ガイドバーが案内空間内で回転可能に配設されて妨げられる、或いは防止される。
【００２４】
このように、ガイドバーは、適当に負荷されて案内空間へと収容され、最後の紙片がローラから加湿ローラを通って引き出される際にも、必要な抵抗、即ち摩擦が十分であるよう固定される。即ち、ガイドバーを、必要な摩擦が常に伝達されるよう回転できないように固定するのが最適である。
【００２５】
更に、ガイドバーの不意の脱落に対する当該ガイドバーの案内の他の最適化としては、ガイドバーの案内溝を、上に開口した導入開口部と、これに連結され、又、下が開口し、上が閉じた案内空間から成る二重漏斗で形成することである。これにより、ガイドバーを導入開口部に収納する際、該ガイドバーは、例えば通過していく紙片或いは通過することにより連結した紙片により二重漏斗の第一の部分へ持ち上げられて、ガイドバーに適合し且つその下部が開口し、上部が閉じた案内空間内へ案内され、そして、その端部突起が案内空間内に存在するよう収納される。尚、案内空間により紙片の通過に伴うガイドバーの脱落を防止している。
【００２６】
このガイドバーの不意の脱落を防止する、ガイドバーの案内空間での固定は、案内空間の内部上面に部屋壁面側から離れるように僅かな勾配を好ましくは上向きに付け、又、案内テーパ部により案内空間の内部上面へ向けて、係合突起と適合する漏斗状空間を形成したことによっても達成される。
【００２７】
又、案内空間の前記内部上面は、ガイドバーの端部突起が四面角状である場合には平面として形成し、この端部突起が楕円形状である場合には湾曲させて形成されている。従って、端部突起が案内空間内で確実に係合され、ガイドバーの持ち上がりを防ぐとともに、得るべき確実な固定が達成できる。尚、このようにすることで、最後の紙片までの確実な当該紙片の案内に寄与する。
【００２８】
更に、加湿ローラも洗浄用ペーパー或いは紙片の移動に伴い回転するよう設置するが、その際、必要な紙片の移動性（通過性）を得るために、内部で加湿ローラの軸を回転可能に支持しつつ固設された漏斗状凹部を、本発明によるタンク部のタンクの側壁内面に設けている。そのため、加湿ローラを、タンクの上部から該タンク内へ設置することができ、自動的に漏斗状凹部へ滑入させることができる。これにより、タンク内に貯溜された水或いはその他の液体を加湿ローラが適切に吸収できる位置での当該加湿ローラの設置が可能となる。
【００２９】
又、加湿ローラと洗浄用ペーパー或いは紙片との安定的且つ確実な連行は、後述する実施の形態に基づきガイドバーを設けたことにより達成される。即ち、このガイドバーにより、加湿ローラと当該ガイドバーとの摩擦力に基づき、加湿ローラが最後の紙片まで加湿することができる。又、加湿ローラと紙片の接触について、加湿用靴状部により各紙片が均等に加湿されるようになっている。
【００３０】
更に、本発明によれば、外縁部に複数の加湿用靴状部と、中心部に軸上で摺動可能な差込用中空軸を備えた複数の支持円板を、それぞれ所定の間隔をもって加湿ローラに取り付けたため、各紙片を適切に加湿できるとともに、紙片が不意に水と接触して濡れてしまうということがない。即ち、本発明は、大きな面積をコンパクトな加湿ローラで加湿するものではなく、支持円板の外縁部に小さいが多量に加湿用靴状部を設けたことによるものである。
【００３１】
ところで、前記支持円板は、加湿用靴状部がその表面において、紙片に供給する水分量加湿され、大きな抵抗或いは大量の水をタンク内から連行しないように形成され設置されている。このような支持円板は、加湿領域の幅を場合に応じて適切に設定し得るよう軸上で摺動可能に設けられている。ここで、場合に応じて適当な大きさのコンパクトな加湿用ローラも考え得るが、紙片が通過する際の抵抗が大きくなり、更に、紙片の均等な加湿が達成し難い。このように、加湿用靴状部の表面のみが紙片に接触して水或いはその他の液体により加湿するようにしているので、適切且つ正確な紙片の加湿が達成できる。
【００３２】
又、支持円板の差込用中空軸を、隣接する他の差込用中空軸と回転自在に連結させて形成したため、一つの統合ユニットを形成することができ、それぞれの支持円板が同じ速度で回転可能であるとともに、回転する際、その回転を妨げることもないという特有の効果が得られる。更に、前にも既に述べたが、加湿ローラの加湿領域が調節できるという効果も得られる。
【００３３】
更に、本発明によれば、加湿用靴状部を備えた支持円板を、紙片の導入方向左右両側に乾燥した端部が形成されるよう軸上で支持するか、或いは支持円板のうち外端に位置する支持円板を側壁から所定間隔隔てて設けたため、紙片は、その途中で剥離することがなく、必ず加湿ローラを通過して更に操作されることができる。
【００３４】
更に、紙片の均等な加湿は、加湿用靴状部を、その中心からそれぞれ互い違いに左右へずらして支持円板に設けたことにより達成され、非常に均等な加湿状態が得られる。これに関する実施の形態は後述する。又、上記において説明した加湿用靴状部の表面のみによる加湿に関して、加湿用靴状部を、支持円板の幅に一致する幅を有する棒状部材を介して支持円板に連結させている。そのため、この棒状部材により接触面が故意に小さく設定されているので、水或いはその他の加湿用の液体は、加湿用靴状部の下側から遠ざけられる。即ち、加湿用靴状部下側からの過湿が防止される。
【００３５】
更なる合目的な加湿用靴状部の実施の形態は、最適な加湿用靴状部表面の加湿のために、加湿用靴状部を面取りした形状或いは角のない形状に形成することである。そして、特に合目的なのは、加湿用靴状部をその移動方向へ略船体形状に形成することである。この際、液体は、いわば分岐されて加湿用靴状部或いはその表面に供給され、紙片の均等な加湿が達成される。これは、上記のように形成することにより、即ち、加湿用靴状部の造型により不要な液体が連行されないか、或いは加湿用靴状部内に貯溜されることにより達成される。
【００３６】
又、液体の適当な連行は、とりわけ、加湿用靴状部をゴム状及び／又はゴムに類似した（ポリエチレン＋ゴム）材料で形成したこと、及び／又は加湿用靴状部の表面に少なくとも１つの窪みを形成したことにより達成される。そして、加湿用靴状部のその他の部分は或る程度滑らかに形成されている一方、この特殊な表面及び材料の選別により水分の確実な吸着が達成される。
【００３７】
更に、上記のように加湿用靴状部の表面に窪みを形成したことにより、各加湿用靴状部が連行する一定の量及び加湿用靴状部上で案内される紙片へ供給する一定の量を得ることができる。又、乾燥領域を維持した状況においては、紙片の最適且つ最終的に調整可能な加湿が達成できるため、洗浄性及び本発明による紙加湿装置の導入による効果を高めることができる。尚、加湿用靴状部をゴムに類似した材料で形成したため、その摩擦により加湿ローラの確実な連行が達成されるされるとともに、紙片の加湿も達成される。
【００３８】
ところで、本発明によれば、その他の形態では必要な加湿ローラ全体の交換を不要とするため、加湿用靴状部或いは棒状部材を支持円板に着脱可能に連結、好ましくは支持円板の孔に挿設可能に、或いは該支持円板に貼着可能に形成している。これにより、実用に対応した加湿状態を得るために、加湿用靴状部を棒状部材と共に、或いは加湿用靴状部のみを交換して、これを大小様々な形状に形成することができる。又、使用者の希望に応じて紙片の加湿度合を調節することもできる。尚、当然、各加湿ローラを完全に交換することも可能である。
【００３９】
又、上述のように、加湿用靴状部をその移動方向へ略船体形状に形成しており、その他、最適な加湿用靴状部表面の加湿のために、加湿用靴状部を面取りした形状或いは角のない形状にも形成することができる。
【００４０】
而して、加湿用靴状部が各紙片上に作り出す加湿形状は、それがハニカム状であると特に効果的且つ有利である。即ち、加湿領域を加湿用靴状部の間でハニカム壁状の細い乾燥領域を残しながら大きく形成したため、加湿された状態であっても、各紙片の十分な安定性を得ることができる。従って、特に有利なのは、加湿用靴状部を当該加湿用靴状部の間でハニカム壁状の細い乾燥領域を残しながら大きく形成することであり、これによりジグザグ状の乾燥領域が形成されて、上述のように、加湿された状態であっても各紙片の十分な安定性を得ることができ、使用者は問題なく紙片を引き出し、使用することが可能である。
【００４１】
又、上記乾燥領域の幅を０．５〜５．０ｍｍ、好ましくは２．０ｍｍにすると合目的であり、紙片に必要な引張強さを得るに十分である。この際、一方の加湿領域は最適な大きさであり、紙片上に適当に大きく拡がっているため、使用者にとって使用し易くなっている。
【００４２】
ところで、案内部材として用いられるガイドバーは、互いに連結された紙片を確実に紙加湿装置を通過せしめられるようになっており、又、洗浄用ペーパーが巻回されたローラが十分且つ完全に回転できるようになっている。更に、本発明によれば、補足的にガイドバーの表面を粗く形成し、又は該ガイドバーに適当なコーティングを施し、又は該ガイドバーを加湿用靴状部と同材料で形成している。そのため、ガイドバーは適当な抵抗を提供し、或いは必要な摩擦力を発生させ、最後の紙片でも加湿ローラにより更に下方へ案内されて確実に引き出されることが達成される。又、このような効果は、ガイドバーを上述のように固定する、即ち、引き出す際に紙片と一緒に回転せず、常に必要な摩擦力が得られるようにすると有利且つ容易に達成することができる。
【００４３】
本発明は、特に簡単且つ目的に応じて取り付けることができ、洗浄用ペーパーロールを追加して組み込むことのできる紙加湿装置を提供することに特別な特徴を有する。このためには、好ましくは二部分から成るハウジング本体を所定位置においてローラに対して補助部材により設定される間隔を隔てて且つローラの上部又は下部の空間内の位置に応じて設置するだけで良い。
【００４４】
又、両部材、即ちローラ及びハウジングは案内部材と共に互いに機能して、紙片の最適な加湿が確実になされる一方、加湿ローラを介さずに紙片を乾燥したまま引き出すことができるようになっている。更に、実際のハウジングが壁面固定部及びタンク部を備え、又、加湿ローラが特別に従来技術とは明らかに相違して造型され、形成されているため、このような取付容易性により、安価で最適な機能を備えた紙加湿装置を提供することができる。
【発明を実施するための最良の形態】
【００４５】
以下に本発明の実施の形態を添付図面に基づいて説明する。
【００４６】
図１は部屋壁面１２に固設された紙加湿装置１を示しており、該紙加湿装置１は、洗浄用ペーパー２を巻回したローラ３から成っている。尚、この洗浄用ペーパー２は多数の互いに分離可能に連結された紙片４，５，６から成っており、この図１では、このような紙片４，５，６で構成されたトイレットペーパーロールを図示している。
又、第一の構成ユニット１７を形成しているローラ３の下方にはハウジング８が示されており、該ハウジング８は、ガイド部材１１及び加湿ローラ１０と共に第二の構成ユニット１８を形成している。尚、該第二の構成ユニット１８は部屋壁面１２に固設されているが、これについては後述する。
【００４７】
而して、ハウジング８はタンク９を備えており、該タンク９内部で加湿ローラ１０が回転可能に設けられている。ここで、洗浄用ペーパー２、即ち各紙片４，５，６は、加湿ローラ１０に接触して加湿されて、或いは加湿ローラ１０上でこれに対して間隔をもって乾燥したまま引き出されるよう案内される。
【００４８】
図２はハウジング８部分を拡大して示したものであり、ここでは、特にタンク部２０について説明する。図４にその側面が図示されているタンク部２０は、図３に示す壁面固定部１９と共に一つの構成ユニットを形成しつつ部屋壁面１２に固設されている。又、この構成ユニットは、留め金２３を介してタンク部２０或いは更に壁面固定部１９にも連結された互いに所定間隔隔てて設けられた一対のフック２１，２２によりローラ３の回転軸２４に連結される。即ち、この構成ユニットは、一対のフック２１，２２を介してローラ３の回転軸２４に懸吊される。
【００４９】
図示するように（図１）、ローラ３は回転軸２４に回転可能に設けられており、この回転軸２４は壁面固着部材１３を介して部屋壁面１２に固設されている。又、ローラ３は、これに付随する部材と共にハウジング８から独立して部屋壁面１２に固設される。そして、洗浄用ペーパー、即ち紙片４，５，６は、ローラ３から引き出された後、漏斗状の導入部１４を通ってガイドバー１５の下へ案内される。ここで、このガイドバー１５は、図２に示す漏斗状の案内溝１６内で垂直方向（上下方向）にのみ摺動するよう設置されている。
【００５０】
更に、ガイドバー１５は、洗浄用ペーパー２を加湿ローラ１０に接触せしめずに引き出す際でも当該洗浄用ペーパー２の案内が可能であり、一方、加湿する際、即ち加湿ローラ１０に接触せしめて引き出す際には再び所定の位置を占め、効果的に加湿できるよう形成されている。
【００５１】
図３及び図４は壁面固定部１９及びタンク部２０とこれらの接合箇所を示しており、壁面固定部１９は、タンク部２０の雌実と嵌合する雄実２６，２７を有する支持アーム２５を備えている。更に、壁面固定部１９は係止爪２８を備えており、該係止爪２８にタンク部２０の嵌合凸部２９が嵌入して効果的な上記実結合が得られる。尚、雄実を２６，２７で、雌実を２６’，２７’で示している。
【００５２】
図５はハウジング８の斜視図であり、漏斗状の導入部１４、ガイドバー１５及び該ガイドバー１５を内部において上下動可能に支持する漏斗状の案内溝１６が示されている。一方、ペーパー、即ち紙片４，５，６は、特に加湿ローラ１０の詳細が分かるようにするため図示されていない。又、壁面固定部１９とタンク部２０から成る構成ユニットは、その壁面側３０を部屋壁面１２に結着せしめて固設されている。
【００５３】
而して、漏斗状の導入部１４は、図１０に補足的に示すように、単調な導入傾斜部３１、実際の凹部３２及び導出傾斜部３３から成っている。これにより、紙片４，５，６の適当な導入が達成されるとともに、ガイドバー１５を垂直方向上下にのみ移動させることができる。尚、支持円板４５，４６，４７及び加湿用靴状部４９，５０，５１については後述するが、単調な導入傾斜部３１、凹部３２及び導出傾斜部３３は、少なくとも紙片４，５，６が加湿ローラ１０により効果的且つ有意義に、乾燥したまま或いは加湿されて引き出されるように構成されている。
【００５４】
図６は先端部に加湿用靴状部５０を備えた支持円板４５の側面図及び平面図であり、加湿用靴状部５０の表面が符号６４で示されている。この加湿用靴状部５０の表面６４は、図面からは分からないが、滑面或いは粗面であっても良い。一方、特に図７から分かるように、加湿用靴状部４９，５０，５１は楕円形或いは略船体形状をしている。尚、符号６０は棒状部材を示しており、該棒状部材６０の上部に加湿用靴状部５０が載設されている。
【００５５】
図７は上記のような加湿用靴状部５０の断面図であり、これに示すように、その両端部６１，６２が丸みをもって、或いは略船体形状に形成されているため、水による衝撃が抑えられ、又、加湿用靴状部を水滴が滴ることなく水中或いは液体中へ浸潤させることができる。尚、棒状部材６０は、図７の右側の図に示すような断面で形成されている。
【００５６】
図８は加湿ローラ１０の平面図であり、当然、加湿用靴状部４９，５０，５１の一部しか図示されていない。ここで、図示したものでは全６枚の支持円板４５，４６，４７が用いられており、これらは、紙片の両側に図１４に示すような乾燥が維持された範囲５８，５９が形成されるよう配設されている。これは、側壁４０の内面４１で漏斗状の凹部４２へ設置され且つ加湿ローラ１０の容易な回転のための適当な凸部５７，５７’を設けるために、加湿ローラ１０の軸４３の一端に互いに所定間隔隔てて設けられた一対の円板４４を設けたことによっても達成される。
【００５７】
又、各支持円板４５，４６，４７の外周面４８には加湿用靴状部４９，５０，５１が棒状部材６０を介して設けられており、支持円板４５，４６，４７は、その中心部に差込用中空軸５２，５２’を備えている。そして、これら差込用中空軸５２，５２’は、軸４３上で互いに挿着され、更に、接続部５３及び挿入部５４を備えている。そして、各支持円板４５，４６，４７が互いに連結されつつ回転可能とすべく、この挿入部５４が図示では全４つの係合突起５５，５６を備え、これら係合突起５５，５６は、それぞれ図１１に図示した係合溝に係合している。
【００５８】
図９は既に説明したガイドバー１５の平面図であり、このガイドバー１５の両端部突起３５，３５’は、漏斗状の案内溝１６の挿入開口部３６を通って挿入されるよう形成されている。又、この挿入開口部３６は、図１０に示すように、案内空間３７で大きく拡がっており、この案内空間３７の上面３８には、紙片４，５又は６の端部がガイドバー１５の一端で持ち上げられすぎても、ガイドバー１５が案内空間３７内に留まるよう傾斜が付けられている。このため、ガイドバー１５が漏斗状の案内溝１６から不意に脱落することを防止できる。
【００５９】
図１０は、ガイドバー１５或いはその端部突起３５が容易に挿入され得るよう設けられた挿入開口部３６を備えた漏斗状の案内溝１６を示しており、更に、単調な導入傾斜部３１、凹部３２、導出傾斜部３３、及び側壁４０の内面４１における漏斗状の凹部４２を示している。
【００６０】
図１１及び図１２はそれぞれ或る一つの支持円板４５の側面図と平面図であり、これから分かるように、多数の加湿用靴状部４９，５０，５１が互いに間隔をもって支持円板４５の外周面に設けられている。そして、適当な棒状部材６０が両者を接続している。尚、このような加湿用靴状部４９，５０，５１の実施の形態は図６及び図７に示してあるので、ここでは詳しく図示せず、簡略化して示している。
【００６１】
而して、図１２に示すように、各加湿用靴状部４９，５０，５１はその中心から左右交互に突出して設けられているため、最適且つ均等な加湿ができる。尚、これに関しては後述する。
【００６２】
図１２には挿入部５４が示されており、該挿入部５４にこれと隣接する支持円板４６或いは４７の接続部５３が挿着される。更に、係合突起５５，５６を設けて、タンク９内における加湿ローラ１０全体が均等に回転するようにしている。
【００６３】
図１３は、漏斗状の凹部４２へ嵌入或いは挿入される凸部５７，５７’を備えた加湿ローラ１０の軸４３を再び示している。ここでも、互いに所定間隔隔てて設けられた一対の円板４４，４４’が図示されており、これらにより均等な幅の乾燥が維持された範囲５８，５９を形成するための間隔を加湿ローラ１０の両端に設けている。そして、前記乾燥が維持された範囲５８，５９及び乾燥部分６５，６６により、紙片４，５，６が加湿された状態でも引張強さが維持されるようになっている。
【００６４】
図１４は、支持円板４５，４６，４７及び加湿用靴状部４９，５０，５１を図示していない、ハニカム状のパターンを示している。このパターンは加湿用靴状部４９，５０，５１のハニカム状の形成によりなされ、このような実施の形態によれば、湿潤面６７，６８，６９，７０と、その間にできる乾燥部分６５，６６により必要な引張安定性或いは引張強さを得ることができる。
【００６５】
又、加湿ローラ１０は、符号６３で示す方向（図１１参照）に回転するとともに、各加湿用靴状部４９，５０，５１の表面６４が図１４に示すようなパターン又は他のパターンを生じるように紙片４，５，６と接触するよう形成されている。
【００６６】
図１５及び図１６には他の形態の加湿用靴状部４９，５０，５１が図示されており、この表面６４には、大きい或いは小さい凹形状の穴７６，７７，７７’が形成されている。そして、このような加湿用靴状部４９に設けられた穴７６，７７，７７’で「容器」が形成されることにより、ある程度大きな水滴をその中に確保できるので、その傍らを通過する紙片４，５，６の容易且つ確実な加湿が達成される。
【００６７】
図１５及び図１６に図示された加湿用靴状部４９，５０，５１は、ゴム状及び／又はゴムに類似した材料、好ましくはポリエチレン（ＰＥ）とゴムの混合物で形成されているため、親水性をもって形成されるばかりでなく、この上を案内される紙片４，５，６の搬送が確実に成されるという効果が得られる。又、このような効果により、加湿用靴状部４９，５０，５１並びに加湿ローラ１０全体の確実な回転が達成される。
【００６８】
図１７は、図９に示したものとは異なった端部突起３５の形態を示しており、この図１７に示すように、ここでは図１８の右側の図にしめすように多角形で形成されている。又、図１８の左側の図において符号３５”で示されたものは、端部突起３５を楕円形に形成したものである。
【００６９】
上記両方の端部突起に適合するのも漏斗状の案内溝１６或いは案内空間３７であり、これが図１９に図示されている。ここでは、案内空間３７は特に図１８の右側に示したものに適するように形成されている。図示したように、挿入開口部３６は下へ向かって狭窄しており、一方、閉じた案内空間３７は、下部が広く、上部が狭くなっている。即ち、その上面３８に向かって狭窄している。
【００７０】
更に、案内テーパ部７４，７５も上記同様適合するように図示されており、該案内テーパ部７４は、端部突起３５の挿入を容易ならしめるために、先の尖った形状で形成されている。そして、図１９に示した実施の形態では、図１８の右側の図に基づく端部突起３５の確実な固定によりガイドバー１５が共に回転せず、これにより確実な摩擦が得られる。
【００７１】
図３及び図４にはさねはぎ状の接合箇所が図示されているが、図２０及び図２１の実施の形態においては、雄実２６及び雌実２７を備えている点で一致しているが、更に雄実２６の側面の係止突起７２と、これに係合する係止凹部７３が設けられている。ここで、タンク部２０を支持アーム２５上へ設置する際、係止突起７２が係止凹部７３に係合することにより両者の接続が確実に成されたことを使用者に知覚させる。
【００７２】
尚、上記の特徴並びに図面から把握される特徴は、それが単独であっても、組み合わせであっても、本発明において重要である。
【図面の簡単な説明】
【００７３】
【図１】ローラ及びハウジングの機能を示した、統合された紙加湿装置の作動状態を示す図である。
【図２】紙加湿装置の追加設置のための取付要素を示す図である。
【図３】ハウジングの壁面固定部を示す側面図である。
【図４】ハウジングのタンク部を示す側面図である。
【図５】加湿ローラを備えたハウジングの斜視図である。
【図６】加湿ローラの一部を含む、加湿用靴状部の側面図及び平面図である。
【図７】加湿用靴状部及びこれを支持する棒状部材の断面図である。
【図８】加湿用靴状部の一部とともに示した、加湿ローラの平面図である。
【図９】ガイドバーの平面図である。
【図１０】ガイドバーを案内する漏斗状凹部とともに示した、タンク部の側壁を示す図である。
【図１１】加湿ローラの正面図である。
【図１２】加湿ローラの支持円板の側面図である。
【図１３】加湿ローラの軸の側面図である。
【図１４】洗浄用ペーパーの一紙片の加湿状態を示す図である。
【図１５】窪みを備えた加湿用靴状部の側面図である。
【図１６】一つ或いは二つの窪みを備えた加湿用靴状部の平面図である。
【図１７】角のある端部突起を備えたガイドバーの側面図である。
【図１８】楕円状或いは四角形の断面の端部突起を備えたガイドバーの正面図である。
【図１９】漏斗状凹部を備えたタンク部の側壁内面を示す図である。
【図２０】嵌入する雄実とともに示した、支持アームの側面図である。
【図２１】雌実を備えた支持アームの平面図及び嵌入する雌実の嵌入部の下から見た図である。
【符号の説明】
【００７４】
１                      紙加湿装置
２                      洗浄用ペーパー
３                      ローラ
４，５，６              紙片
８                      ハウジング
９                      タンク
１０                    加湿ローラ
１１                    ガイド部材
１２                    部屋壁面
１３                    壁面固着部材
１４                    導入部
１５                    ガイドバー
１６                    案内溝
１７                    第一の構成ユニット
１８                    第二の構成ユニット
１９                    壁面固定部
２０                    タンク部
２１，２２              フック
２３                    留め金
２４                    回転軸
２５                    支持アーム
２６，２７              雄実
２６’，２７’          雌実
２８                    係止爪
２９                    嵌合凸部
３０                    構成ユニット壁面側
３１                    導入傾斜部
３２                    凹部
３３                    導出傾斜部
３５，３５’，３５”    端部突起
３６                    挿入開口部
３７                    案内空間
３８                    案内空間上面
４０                    側壁
４１                    側壁内面
４２                    凹部
４３                    軸
４４，４４’            円板
４５，４６，４７        支持円板
４８                    外周面
４９，５０，５１        加湿用靴状部
５２，５２’            差込用中空軸
５３                    接続部
５４                    挿入部
５５，５６              係合突起
５７，５７’            凸部
５８，５９              乾燥が維持された範囲
６０                    棒状部材
６１，６２              加湿用靴状部の端部
６３                    加湿ローラ回転方向
６４                    加湿用靴状部表面
６５，６６              乾燥部分
６７，６８，６９，７０  湿潤面
７２                    係止突起
７３                    係止凹部
７４，７５              案内テーパ部
７６，７７，７７’      凹形状の穴
【図１】
2007529240.tif 000003
【図２】
2007529240.tif 000004
【図３】
2007529240.tif 000005
【図４】
2007529240.tif 000006
【図５】
2007529240.tif 000007
【図６】
2007529240.tif 000008
【図７】
2007529240.tif 000009
【図８】
2007529240.tif 000010
【図９】
2007529240.tif 000011
【図１０】
2007529240.tif 000012
【図１１】
2007529240.tif 000013
【図１２】
2007529240.tif 000014
【図１３】
2007529240.tif 000015
【図１４】
2007529240.tif 000016
【図１５】
2007529240.tif 000017
【図１６】
2007529240.tif 000018
【図１７】
2007529240.tif 000019
【図１８】
2007529240.tif 000020
【図１９】
2007529240.tif 000021
【図２０】
2007529240.tif 000022
【図２１】
2007529240.tif 000023
【国際調査報告】
2007529240.tif 000024
2007529240.tif 000025
2007529240.tif 000026
2007529240.tif 000027